(57)【要約】【課題】従来のコモンモードチョークコイルを用いたコネクタに対して、コモンモードノイズに強い小型のフィルタ内蔵コネクタを提供する。【解決手段】相手側コネクタと接続する複数の第１の外部接続端子と、他の機器と接続する第２の外部接続端子との間に、コモンモードフィルタを有し、コモンモードフィルタには、両側の外層にそれぞれ磁性体を含有する磁性体層と内層に複数のコイル層及びグランド層とを有し、磁性体層の少なくともいずれか一方には、第１の引出電極及び第１の引出電極と接続した第３の引出電極が設けられるとともに、第２の引出電極及び第２の引出電極と接続した第４の引出電極が設けられ、磁性体層の少なくともいずれか他方には、グランド導体と接続した第１のグランド電極及び第２のグランド電極が設けられ、第３の引出電極、第４の引出電極及び第２のグランド電極は、第２の外部接続端子と接続されていることを特徴としている。【選択図】図３
2014187053.tif 000002
【特許請求の範囲】
【請求項１】
相手側コネクタと電気的に接続する複数の第１の外部接続端子と、
前記第１の外部接続端子と電気的に接続しており、他の機器と電気的に接続するための端子部を一方側に有した複数の第２の外部接続端子と、
前記複数の第２の外部接続端子を保持する保持部と、を備えて構成されたコネクタにおいて、
前記第１の外部接続端子と前記第２の外部接続端子のとの間にコモンモードフィルタを有し、
前記コモンモードフィルタには、両側の外層にそれぞれ磁性体を含有する磁性体層を有し、
前記コモンモードフィルタの内層には、一方の前記磁性体層側に内部導体が設けられた樹脂シートからなるコイル層を複数有し、
前記コイル層の一つは、渦巻き状の第１の内部導体が設けられた第１のコイル層であり、前記コイル層の一つは、渦巻き状の第２の内部導体が設けられた第２のコイル層であり、前記第１の内部導体と前記第２の内部導体とが磁気結合をしており、
前記コモンモードフィルタの内層には、他方の前記磁性体層側にグランド導体が設けられた樹脂シートからなるグランド層を有し、
前記磁性体層の少なくともいずれか一方には、前記第１の内部導体と電気的に接続した第１の引出電極及び前記第１の内部導体を介して前記第１の引出電極と電気的に接続した第３の引出電極が設けられるとともに、前記第２の内部導体と電気的に接続した第２の引出電極及び前記第２の内部導体を介して前記第２の引出電極と電気的に接続した第４の引出電極が設けられ、
前記磁性体層の少なくともいずれか他方には、前記グランド導体の一方と電気的に接続した第１のグランド電極及び前記グランド導体の他方と電気的に接続した第２のグランド電極が設けられ、
前記第３の引出電極、前記第４の引出電極及び前記第２のグランド電極は、前記第２の外部接続端子と接続されていることを特徴とするフィルタ内蔵コネクタ。
【請求項２】
前記コモンモードフィルタを複数有し、前記コモンモードフィルタのそれぞれが、前記第１の引出電極及び前記第２の引出電極と前記第１のグランド電極とが互い違いになるように配置されていることを特徴とする請求項１に記載のフィルタ内蔵コネクタ。
【請求項３】
前記複数のコモンモードフィルタが一体化したコモンモードフィルタユニットを有したことを特徴とする請求項２に記載のフィルタ内蔵コネクタ。
【請求項４】
前記コモンモードフィルタユニットと前記第２の外部接続端子とをインサート成形して一体形成したことを特徴とする請求項３に記載のフィルタ内蔵コネクタ。
【請求項５】
扁平状粉末磁性体が面内方向に配向された磁性体シートが前記第１の外部接続端子間を結ぶ直線と交差する方向に前記配向が向くように、前記コモンモードフィルタ間に配置されたことを特徴とする請求項２に記載のフィルタ内蔵コネクタ。
【請求項６】
前記コモンモードフィルタと前記第２の外部接続端子とをインサート成形して一体形成したことを特徴とする請求項１または請求項２または請求項５に記載のフィルタ内蔵コネクタ。
【請求項７】
前記第１の引出電極、前記第２の引出電極及び前記第１のグランド電極が、前記第１の外部接続端子を構成することを特徴とする請求項１ないし請求項６のいずれかに記載のフィルタ内蔵コネクタ。
【発明の詳細な説明】
【技術分野】
【０００１】
本発明は、フィルタ内蔵コネクタに関し、特にコネクタ内にコモンモードノイズを除去するためのコモンモードフィルタを内蔵するためのフィルタ内蔵コネクタに関する。
【背景技術】
【０００２】
ＵＳＢ、ＤＶＩ、ＨＤＭＩ等のコネクタを用いる高速デジタル信号は、外来ノイズに対して強いとされる差動信号を用いているが、この差動信号に対してもコモンモードノイズが伝送路に重畳されることがある。そして、このコモンモードノイズを除去するために、コモンモードフィルタを伝送路に入れたり、コネクタの中に内蔵させたりしている。
【０００３】
このコモンモ−ドフィルタとして、コモンモードチョークコイルを用いたフィルタが一般に用いられることが多く、特に、コネクタの中にコモンモードチョークコイルを用いたフィルタを内蔵させた従来技術として、特許文献１では、図１６に示すようなフィルタ内蔵型コネクタ９００が提案されている。フィルタ内蔵型コネクタ９００は、金属ケース９１０と、金属ケース９１０内に収容された樹脂ケース９２０と、樹脂ケース９２０に埋設された４本のコネクタピン（９３１、９３２、９３３、９３４）と、２本のコネクタピン（９３２、９３３）と接続され樹脂ケース９２０内に収容されたコモンモードチョークコイル９９１とを備えて構成されている。特に、コモンモードチョークコイル９９１は、ドラムタイプの磁気コア９９２と略長方形の板状コア９９３とを備え、２本の導線９９６が磁気コア９９２に巻回されている。これにより、部品点数が少なく、信号伝達特性が変化せず、抵抗値が小さく、信頼性の高いフィルタ内蔵型コネクタ９００を提供することができるとしている。
【先行技術文献】
【特許文献】
【０００４】
【特許文献１】特開２００６−２３７１３５号公報
【発明の概要】
【発明が解決しようとする課題】
【０００５】
しかしながら、従来例１のような構成では、コモンモ−ドフィルタとして、磁気コア９９２や板状コア９９３、巻回された導線９９６を備えたコモンモードチョークコイル９９１を用いているので、このコモンモ−ドフィルタを単純にコネクタ内に内蔵した場合、コネクタを小型にできないと言った課題があった。また、ＨＤＭＩ等の多くの信号を扱うコネクタにおいては、更に、小型化が難しくなる。
【０００６】
本発明は、上述した課題を解決するもので、コモンモードフィルタが内蔵され、コモンモードノイズに強い小型のフィルタ内蔵コネクタを提供することを目的とする。
【課題を解決するための手段】
【０００７】
この課題を解決するために、本発明の請求項１によるフィルタ内蔵コネクタは、相手側コネクタと電気的に接続する複数の第１の外部接続端子と、前記第１の外部接続端子と電気的に接続しており、他の機器と電気的に接続するための端子部を一方側に有した複数の第２の外部接続端子と、前記複数の第２の外部接続端子を保持する保持部と、を備えて構成されたコネクタにおいて、前記第１の外部接続端子と前記第２の外部接続端子のとの間にコモンモードフィルタを有し、前記コモンモードフィルタには、両側の外層にそれぞれ磁性体を含有する磁性体層を有し、前記コモンモードフィルタの内層には、一方の前記磁性体層側に内部導体が設けられた樹脂シートからなるコイル層を複数有し、前記コイル層の一つは、渦巻き状の第１の内部導体が設けられた第１のコイル層であり、前記コイル層の一つは、渦巻き状の第２の内部導体が設けられた第２のコイル層であり、前記第１の内部導体と前記第２の内部導体とが磁気結合をしており、前記コモンモードフィルタの内層には、他方の前記磁性体層側にグランド導体が設けられた樹脂シートからなるグランド層を有し、前記磁性体層の少なくともいずれか一方には、前記第１の内部導体と電気的に接続した第１の引出電極及び前記第１の内部導体を介して前記第１の引出電極と電気的に接続した第３の引出電極が設けられるとともに、前記第２の内部導体と電気的に接続した第２の引出電極及び前記第２の内部導体を介して前記第２の引出電極と電気的に接続した第４の引出電極が設けられ、前記磁性体層の少なくともいずれか他方には、前記グランド導体の一方と電気的に接続した第１のグランド電極及び前記グランド導体の他方と電気的に接続した第２のグランド電極が設けられ、前記第３の引出電極、前記第４の引出電極及び前記第２のグランド電極は、前記第２の外部接続端子と接続されていることを特徴としている。
【０００８】
また、本発明の請求項２によるフィルタ内蔵コネクタは、前記コモンモードフィルタを複数有し、前記コモンモードフィルタのそれぞれが、前記第１の引出電極及び前記第２の引出電極と前記第１のグランド電極とが互い違いになるように配置されていることを特徴としている。
【０００９】
また、本発明の請求項３によるフィルタ内蔵コネクタは、前記複数のコモンモードフィルタが一体化したコモンモードフィルタユニットを有することを特徴としている。
【００１０】
また、本発明の請求項４によるフィルタ内蔵コネクタは、前記コモンモードフィルタユニットと前記第２の外部接続端子とをインサート成形して一体形成したことを特徴としている。
【００１１】
また、本発明の請求項５によるフィルタ内蔵コネクタは、扁平状粉末磁性体が面内方向に配向された磁性体シートが前記第１の外部接続端子間を結ぶ直線と交差する方向に前記配向が向くように、前記コモンモードフィルタ間に配置されたことを特徴としている。
【００１２】
また、本発明の請求項６によるフィルタ内蔵コネクタは、前記コモンモードフィルタと前記第２の外部接続端子とをインサート成形して一体形成したことを特徴としている。
【００１３】
また、本発明の請求項７によるフィルタ内蔵コネクタは、前記第１の引出電極、前記第２の引出電極及び前記第１のグランド電極が、前記第１の外部接続端子を構成することを特徴としている。
【発明の効果】
【００１４】
請求項１の発明によれば、本発明のフィルタ内蔵コネクタは、相手側コネクタと電気的に接続する第１の外部接続端子と、他の機器と電気的に接続する第２の外部接続端子のとの間に、磁性体層、コイル層及びグランド層が積層されたコモンモードフィルタを設けたので、この内蔵されたコモンモードフィルタにより、コモンモードノイズを除去することができる。このことにより、コモンモードチョークコイルを用いたコモンモ−ドフィルタを単純にコネクタ内に内蔵した場合と比較して、コネクタのサイズを小さくすることができる。したがって、コモンモードノイズに強い小型のフィルタ内蔵コネクタを得ることができる。
【００１５】
請求項２の発明によれば、本発明のフィルタ内蔵コネクタは、複数のコモンモードフィルタのそれぞれが、第１の引出電極及び第２の引出電極と第１のグランド電極とが互い違いになるように配置した構成にしたので、ＨＤＭＩ等のピン配列のコネクタに適用できる。このことにより、多くの信号を扱うコネクタのサイズをより小さくすることができる。
【００１６】
請求項３の発明によれば、本発明のフィルタ内蔵コネクタは、複数のコモンモードフィルタが一体化したコモンモードフィルタユニットを構成したので、組み立て時において、コモンモードフィルタの一つ一つを組み立てるのと比較して、容易に組み立てることができる。このことにより、コモンモードノイズに強くしかも小型化が図られたフィルタ内蔵コネクタの製造コストを下げることができる。
【００１７】
請求項４の発明によれば、本発明のフィルタ内蔵コネクタは、コモンモードフィルタユニットと第２の外部接続端子とをインサート成形して一体形成したので、コモンモードフィルタユニットと第２の外部接続端子との電気的な接続を確実にできるはかりでなく、組み立て時において、組み立て工数を削減することができる。このことにより、コモンモードノイズに強くしかも小型化が図られたフィルタ内蔵コネクタの製造コストをより下げることができる。
【００１８】
請求項５の発明によれば、本発明のフィルタ内蔵コネクタは、扁平状粉末磁性体が面内方向に配向された磁性体シートが第１の外部接続端子間を結ぶ直線と交差する方向に配向が向くように、磁性体シートをコモンモードフィルタ間に配置したので、端子から出る或いは端子に入る電磁波を磁性体シートで遮蔽することができる。このことにより、コモンモードノイズに強くしかも端子間のクロストークを押さえられた小型のフィルタ内蔵コネクタを得ることができる。
【００１９】
請求項６の発明によれば、本発明のフィルタ内蔵コネクタは、コモンモードフィルタと第２の外部接続端子とをインサート成形して一体形成したので、コモンモードフィルタと第２の外部接続端子との電気的な接続を確実にできるはかりでなく、組み立て時において、組み立て工数を削減することができる。このことにより、コモンモードノイズに強くしかも小型化が図られたフィルタ内蔵コネクタの製造コストをより下げることができる。
【００２０】
請求項７の発明によれば、本発明のフィルタ内蔵コネクタは、コモンモードフィルタユニットの第１の引出電極、第２の引出電極及び第１のグランド電極を第１の外部接続端子として用いたので、新たな複数のピン端子を設け、第１の引出電極、第２の引出電極及び第１のグランド電極と接続をさせる必要がなくなる。このことにより、組み立て時において、組み立て工数を削減することができ、コモンモードノイズに強くしかも小型化が図られたフィルタ内蔵コネクタの製造コストをより一層下げることができる。
【００２１】
したがって、本発明のフィルタ内蔵コネクタは、コモンモードフィルタが内蔵され、コモンモードノイズに強い小型のフィルタ内蔵コネクタを提供できる。
【図面の簡単な説明】
【００２２】
【図１】本発明の第１実施形態のフィルタ内蔵コネクタの斜視図である。
【図２】本発明の第１実施形態のフィルタ内蔵コネクタを説明する斜視図であって、図１に示すフィルタ内蔵コネクタの筐体及びシールドケースを省略した図である。
【図３】本発明の第１実施形態のフィルタ内蔵コネクタを説明する図であって、図２に示す斜視図において、コモンモードフィルタユニットの一部を覆っている箇所を透明化した図である。
【図４】本発明の第１実施形態のフィルタ内蔵コネクタのコモンモードフィルタを説明する斜視図である。
【図５】本発明の第１実施形態のフィルタ内蔵コネクタのコモンモードフィルタを説明する図であって、図４に示す斜視図を上下反対にした図である。
【図６】本発明の第１実施形態のフィルタ内蔵コネクタを説明する図であって、図４に示す斜視図の分解斜視図である。
【図７】本発明の第２実施形態のフィルタ内蔵コネクタの斜視図である。
【図８】本発明の第２実施形態のフィルタ内蔵コネクタを説明する図であって、図７に示すＰ部分の拡大図であり、図７に示すＹ２側から見た正面図である。
【図９】本発明の第２実施形態のフィルタ内蔵コネクタを説明する斜視図であって、図７に示すフィルタ内蔵コネクタの筐体及びシールドケースを省略し、コモンモードフィルタの一部を覆っている箇所を透明化した図である。
【図１０】本発明の第２実施形態のフィルタ内蔵コネクタに用いた磁性体シートを説明する図であって、図１０（ａ）は、図８に示すＱ部分の磁性体シートの断面模式図であり、図１０（ｂ）は、磁性体シートの断面ＳＥＭ写真の一例である。
【図１１】本発明の第１実施形態のフィルタ内蔵コネクタの変形例１を説明する斜視図であって、フィルタ内蔵コネクタの一例である。
【図１２】本発明の第１実施形態のフィルタ内蔵コネクタの変形例２を説明する図であって、変形例２におけるコモンモードフィルタの分解斜視図である。
【図１３】本発明の第２実施形態のフィルタ内蔵コネクタの変形例４を説明する図であって、図８で示した部分と同じ部分の拡大図である。
【図１４】本発明の第２実施形態のフィルタ内蔵コネクタの変形例５を説明する図であって、図８で示した部分と同じ部分の拡大図である。
【図１５】本発明の実施形態のフィルタ内蔵コネクタの変形例７を説明する斜視図であって、フィルタ内蔵コネクタの一例である。
【図１６】従来例１におけるフィルタ内蔵コネクタを説明する図であって、図１６（ａ）は、フィルタ内蔵コネクタの斜視図であり、図１６（ｂ）は、フィルタ内蔵コネクタの樹脂ケースを示す断面図である。
【発明を実施するための形態】
【００２３】
以下、本発明の実施の形態について添付図面を参照して詳細に説明する。
【００２４】
［第１実施形態］
図１は、本発明の第１実施形態のフィルタ内蔵コネクタ１０１を説明する構成図である。図２は、本発明の第１実施形態のフィルタ内蔵コネクタ１０１を説明する斜視図であって、図１に示すフィルタ内蔵コネクタ１０１の筐体９及びシールドケース８を省略した図であり、連結ユニットＪ１を示している。図３は、本発明の第１実施形態のフィルタ内蔵コネクタ１０１を説明する図であって、図２に示す連結ユニットＪ１において、コモンモードフィルタユニットＦＵ１の一部を覆っている樹脂部５ｐを透明化した図である。図４は、本発明の第１実施形態のフィルタ内蔵コネクタ１０１のコモンモードフィルタＦ１を説明する斜視図である。なお、説明を容易にするため、１つのコモンモードフィルタＦ１のみ図示している。図５は、本発明の第１実施形態のフィルタ内蔵コネクタ１０１のコモンモードフィルタＦ１を説明する図であって、図４に示す斜視図を上下反対にした図である。図６は、本発明の第１実施形態のフィルタ内蔵コネクタ１０１を説明する図であって、図４に示す斜視図の分解斜視図である。
【００２５】
本発明の第１実施形態のフィルタ内蔵コネクタ１０１は、図１ないし図３に示すように、相手側コネクタ（図示していない）と電気的に接続する第１の外部接続端子Ｔ１１と、他の機器と電気的に接続するための端子部Ｔ２２ａを一方側に有した第２の外部接続端子Ｔ２２と、複数の第１の外部接続端子Ｔ１１と複数の第２の外部接続端子Ｔ２２のとの間にコモンモードフィルタユニットＦＵ１と、を備えて構成される。他に、複数の第２の外部接続端子Ｔ２２を保持する保持部５と、コモンモードフィルタユニットＦＵ１を取り囲むようにして配置されているシールドケース８と、このシールドケース８を取り囲むようにして配置されている筐体９とが備えられている。また、本発明の第１実施形態のフィルタ内蔵コネクタ１０１は、図２に示すように、複数の第１の外部接続端子Ｔ１１と、コモンモードフィルタユニットＦＵ１と、複数の第２の外部接続端子Ｔ２２とが、一体に組み合わされた連結ユニットＪ１を構成している。
【００２６】
図１に示すシールドケース８は、第１の外部接続端子Ｔ１１、第２の外部接続端子Ｔ２２及びコモンモードフィルタユニットＦＵ１を収納するように、箱状に形成され、金属板に曲げ加工を施して作製される。また、シールドケース８は、図２に示す保持部５の突設部５ｔと係合し、連結ユニットＪ１を保持している。
【００２７】
また、シールドケース８を収納している筐体９は、箱状の形状で構成され、ＬＣＰ（液晶ポリマー）等の合成樹脂材料を用い、射出成形で作製される。射出成形の際には、コモンモードフィルタユニットＦＵ１が係合されたシールドケース８がインサート成形され、図１に示すように、シールドケース８が筐体９に保持されるとともに、第２の外部接続端子Ｔ２２が筐体９に保持される。なお、フィルタ内蔵コネクタとして、筐体９を備えていなくても良い。
【００２８】
図２に示す連結ユニットＪ１は、ＬＣＰ（液晶ポリマー）等の合成樹脂材料を用いて作製された保持部５を有し、保持部５は、複数の第２の外部接続端子Ｔ２２をインサート成形して作製される。さらに、複数の第２の外部接続端子Ｔ２２の他方側に設けられ凸状に曲げられて形成された曲端部Ｔ２２ｂと、後述するコモンモードフィルタユニットＦＵ１の第３の引出電極３３、第４の引出電極４４及び第２のグランド電極７７とを接続させ、コモンモードフィルタユニットＦＵ１と第２の外部接続端子Ｔ２２とをインサート成形して一体形成している。この際には、複数の第２の外部接続端子Ｔ２２の他方側に設けられた曲端部Ｔ２２ｂとコモンモードフィルタユニットＦＵ１の一部とが、樹脂部５ｐによって覆われる。これにより、樹脂部５ｐによって覆い、コモンモードフィルタユニットＦＵ１と第２の外部接続端子Ｔ２２を保持するので、コモンモードフィルタユニットＦＵ１と第２の外部接続端子Ｔ２２との電気的な接続を確実にできる。さらには、組み立て時において、この連結ユニットＪ１を用いるだけで、コモンモードフィルタユニットＦＵ１と第２の外部接続端子Ｔ２２を組み立てることができるので、組み立て工数を削減することができる。
【００２９】
図１ないし図３に示す第１の外部接続端子Ｔ１１は、相手側のコネクタ（図示していない）がシールドケース８内に挿入されフィルタ内蔵コネクタ１０１に嵌合された際に、相手側のコネクタの端子（図示していない）と接触し、相手側のコネクタと電気的に接続される。また、本発明の第１実施形態のフィルタ内蔵コネクタ１０１は、後述するコモンモードフィルタユニットＦＵ１の第１の引出電極１１、第２の引出電極２２及び第１のグランド電極６６を第１の外部接続端子Ｔ１１として用いている。これにより、新たな複数のピン端子を設け、第１の引出電極１１、第２の引出電極２２及び第１のグランド電極６６と接続をさせる必要がなくなる。このことにより、組み立て時において、組み立て工数を削減することができる。
【００３０】
第２の外部接続端子Ｔ２２は、例えばテレビのプリント配線板に端子部Ｔ２２ａがはんだ付けされてテレビと電気的に接続される。また、第２の外部接続端子Ｔ２２のそれぞれは、後述するコモンモードフィルタユニットＦＵ１の第３の引出電極３３、第４の引出電極４４及び第２のグランド電極７７と電気的に接続されて、コモンモードフィルタユニットＦＵ１を介して第１の外部接続端子Ｔ１１（第１の引出電極１１、第２の引出電極２２及び第１のグランド電極６６）と電気的に接続されている。
【００３１】
コモンモードフィルタユニットＦＵ１は、図１ないし図３に示すように、後述する複数のコモンモードフィルタＦ１が一体化して形成され構成されている。これにより、組み立て時において、コモンモードフィルタＦ１の一つ一つを組み立てるのと比較して、容易に組み立てることができる。
【００３２】
また、図２に示すように、コモンモードフィルタＦ１のそれぞれが、第１の引出電極１１及び第２の引出電極２２と第１のグランド電極６６とが互い違いになるように配置されている。これにより、ＨＤＭＩ等のピン配列のコネクタに適用でききる。
【００３３】
コモンモードフィルタＦ１は、図４ないし図６に示すように、いくつかの層が積層された積層構造をしており、両側の外層にそれぞれ磁性体を含有する磁性体層（Ｍ１、Ｍ２）と、内層に内部導体（第１の内部導体ＮＣ１，第２の内部導体ＮＣ２）が設けられた樹脂シートからなる複数のコイル層（第１のコイル層Ｃ１、第２のコイル層Ｃ２）と、内層にグランド導体が設けられた樹脂シートからなるグランド層ＧＮとを備えて構成される。
【００３４】
一方の磁性体層Ｍ１は、複数の扁平状の磁性粉末が含有された樹脂製のシートに、図６に示すように、片面側（表面側）に銅または銅合金を主成分とする第１の引出電極１１、第２の引出電極２２、第３の引出電極３３及び第４の引出電極４４が四隅にそれぞれ形成されている。また、他方の片面側（内層側）に前述の４つの引出電極とそれぞれスルーホールによって電気的に繋がった４つの内層電極（１１Ｅ及び２２Ｅは図示しているが、３３Ｅ、４４Ｅは図示していない）が形成されている。なお、磁性体層Ｍ１の樹脂シートの側面端部に導電パターンを設け、スルーホールの替わりに、第１の引出電極１１と内層電極１１Ｅ、第２の引出電極２２と内層電極２２Ｅ、第３の引出電極３３と内層電極３３Ｅ、及び第４の引出電極４４と内層電極４４Ｅを電気的に接続しても良い。
【００３５】
一方の磁性体層側、つまり磁性体層Ｍ１側に、コイル層の一つである第１のコイル層Ｃ１が積層されている。第１のコイル層Ｃ１は、シリコーン樹脂等の合成樹脂からなる樹脂シートに、図５及び図６に示すように、片面側（磁性体層Ｍ１側）に銅または銅合金を主成分とする渦巻き状の第１の内部導体ＮＣ１が設けられている。また、片面側（磁性体層Ｍ１側）に、磁性体層Ｍ１の内層電極１１Ｅと当接し第１の引出電極１１と電気的に接続する第１の内部電極Ｎ１１と、磁性体層Ｍ１の内層電極３３Ｅ（図示していない）と当接し第３の引出電極３３と電気的に接続する第３の内部電極Ｎ３３と、第１の内部電極Ｎ１１と第１の内部導体ＮＣ１を介して繋がった第５の内部電極Ｎ５５と、２つの中間電極（２２Ｆ、４４Ｆ）とを有している。
【００３６】
また、第１のコイル層Ｃ１の他方の片面側（第２のコイル層Ｃ２側）に、前述の２つの中間電極（２２Ｆ、４４Ｆ）とそれぞれスルーホールによって電気的に繋がった２つの中間電極（２２Ｇ、もう一つの４４Ｇは図示していない）も形成されている。また、他方の片面側（第２のコイル層Ｃ２側）に、図示はしていないが、配線パターンが形成され、スルーホールを介して第３の引出電極３３と第５の内部電極Ｎ５５とが電気的に接続されている。これにより、第１の引出電極１１と第３の引出電極３３とが、第１の内部導体ＮＣ１を介して電気的に接続するようになる。なお、第１のコイル層Ｃ１の樹脂シートの側面端部に導電パターンを設け、スルーホールの替わりに、中間電極２２Ｆと中間電極２２Ｇ、及び中間電極４４Ｆと中間電極４４Ｇを電気的に接続しても良い。
【００３７】
磁性体層Ｍ１側に、コイル層の一つである第２のコイル層Ｃ２も積層されている。第２のコイル層Ｃ２は、シリコーン樹脂等の合成樹脂からなる樹脂シートに、図５及び図６に示すように、片面側（第１のコイル層Ｃ１側）に銅または銅合金を主成分とする渦巻き状の第２の内部導体ＮＣ２が設けられている。また、片面側（第１のコイル層Ｃ１側）に、第１のコイル層Ｃ１の中間電極２２Ｇと当接し中間電極２２Ｆ及び内層電極２２Ｅを介して第２の引出電極２２と電気的に接続する第２の内部電極Ｎ２２と、第１のコイル層Ｃ１の中間電極４４Ｇ（図示していない）と当接し中間電極４４Ｆ及び内層電極４４Ｅ（図示していない）を介して第４の引出電極４４と電気的に接続する第４の内部電極Ｎ４４と、第２の内部電極Ｎ２２と第２の内部導体ＮＣ２を介して繋がった第６の内部電極Ｎ６６とを有している。
【００３８】
また、第２のコイル層Ｃ２の他方の片面側（グランド層ＧＮ側）に、図示はしていないが、配線パターンが形成され、スルーホールを介して第２の引出電極２２と第６の内部電極Ｎ６６とが電気的に接続されている。これにより、第２の引出電極２２と第４の引出電極４４とが、第２の内部導体ＮＣ２を介して電気的に接続するようになる。また、第１の内部導体ＮＣ１と第２の内部導体ＮＣ２とが磁気結合をしている。
【００３９】
他方の磁性体層側、つまり磁性体層Ｍ２側に、グランド層ＧＮが積層されている。グランド層ＧＮは、シリコーン樹脂等の合成樹脂からなる樹脂シートに、図６に示すように、樹脂シートの両面側に銅または銅合金を主成分とするグランド導体（ＧＮ１、もう一つのＧＮ２は図示していない）が、ほぼ全面に形成されている。また、グランド導体ＧＮ１とグランド導体ＧＮ２とは、スルーホールによって電気的に接続されている。なお、樹脂シートの磁性体層Ｍ２側のみにグランド導体ＧＮ２が設けられていても良い。
【００４０】
他方の磁性体層Ｍ２は、複数の扁平状の磁性粉末が含有された樹脂製のシートに、図５及び図６に示すように、片面側（表面側）に銅または銅合金を主成分とする第１のグランド電極６６及び第２のグランド電極７７が端部にそれぞれ形成されている。また、他方の片面側（内層側）に前述の２つのグランド電極とそれぞれスルーホールによって電気的に繋がった２つの内層電極（６６Ｅ、７７Ｅ）が形成され、この内層電極（６６Ｅ、７７Ｅ）がグランド層ＧＮに設けられたグランド導体ＧＮ２と当接している。これにより、第１のグランド電極６６と第２のグランド電極７７とが、グランド導体ＧＮ２を介して電気的に接続するようになる。なお、磁性体層Ｍ２の樹脂シートの側面端部に導電パターンを設け、スルーホールの替わりに、第１のグランド電極６６と内層電極６６Ｅ、及び第２のグランド電極７７と内層電極７７Ｅを電気的に接続しても良い。
【００４１】
以上のような構成で作製された本発明の第１実施形態のフィルタ内蔵コネクタ１０１は、図１ないし図６に示すように、他の機器と繋がった相手側のコネクタ（図示していない）がシールドケース８内に挿入され嵌合された際に、相手側のコネクタの端子（図示していない）と、第１の外部接続端子Ｔ１１（第１の引出電極１１、第２の引出電極２２及び第１のグランド電極６６）とが接触し、相手側のコネクタと電気的に接続される。そして、この第１の外部接続端子Ｔ１１と第２の外部接続端子Ｔ２２のとの間に、磁性体層（Ｍ１、Ｍ２）、コイル層（第１のコイル層Ｃ１、第２のコイル層Ｃ２）及びグランド層ＧＮが積層されたコモンモードフィルタＦ１が設けられている。そして、他の機器（例えばテレビ）と第２の外部接続端子Ｔ２２の端子部Ｔ２２ａとがはんだ付けされて他の機器（例えばテレビ）と電気的に接続され、相手側のコネクタと繋がった他の機器とフィルタ内蔵コネクタ１０１と繋がった他の機器（例えばテレビ）とが接続される。これにより、フィルタ内蔵コネクタ１０１に設けられたコモンモードフィルタＦ１により、機器間で発生するコモンモードノイズを除去することができ、上述のような構成で作製されたフィルタ内蔵コネクタ１０１なので、コモンモードチョークコイルを用いたコモンモ−ドフィルタを単純にコネクタ内に内蔵した場合と比較して、コネクタのサイズを小さくすることができる。
【００４２】
以上により、本発明のフィルタ内蔵コネクタ１０１は、相手側コネクタと電気的に接続する第１の外部接続端子Ｔ１１と、他の機器と電気的に接続する第２の外部接続端子Ｔ２２のとの間に、磁性体層（Ｍ１、Ｍ２）、コイル層（第１のコイル層Ｃ１、第２のコイル層Ｃ２）及びグランド層ＧＮが積層されたコモンモードフィルタＦ１を設けたので、この内蔵されたコモンモードフィルタＦ１により、コモンモードノイズを除去することができる。このことにより、コモンモードチョークコイルを用いたコモンモ−ドフィルタを単純にコネクタ内に内蔵した場合と比較して、コネクタのサイズを小さくすることができる。したがって、コモンモードノイズに強い小型のフィルタ内蔵コネクタ１０１を得ることができる。
【００４３】
また、複数のコモンモードフィルタＦ１のそれぞれが、第１の引出電極１１及び第２の引出電極２２と第１のグランド電極６６とが互い違いになるように配置した構成にしたので、ＨＤＭＩ等のピン配列のコネクタに適用できる。このことにより、多くの信号を扱うコネクタのサイズをより小さくすることができる。
【００４４】
また、複数のコモンモードフィルタＦ１が一体化したコモンモードフィルタユニットＦＵ１を構成したので、組み立て時において、コモンモードフィルタＦ１の一つ一つを組み立てるのと比較して、容易に組み立てることができる。このことにより、コモンモードノイズに強くしかも小型化が図られたフィルタ内蔵コネクタ１０１の製造コストを下げることができる。
【００４５】
また、コモンモードフィルタユニットＦＵ１と第２の外部接続端子Ｔ２２とをインサート成形して一体形成したので、樹脂部５ｐによって覆い、コモンモードフィルタユニットＦＵ１と第２の外部接続端子Ｔ２２を保持でき、コモンモードフィルタユニットＦＵ１と第２の外部接続端子Ｔ２２との電気的な接続を確実にできる。さらには、連結ユニットＪ１を用いるだけで、コモンモードフィルタユニットＦＵ１と第２の外部接続端子Ｔ２２を組み立てることができるので、組み立て時において、組み立て工数を削減することができる。このことにより、コモンモードノイズに強くしかも小型化が図られたフィルタ内蔵コネクタ１０１の製造コストをより下げることができる。
【００４６】
また、コモンモードフィルタユニットＦＵ１の第１の引出電極１１、第２の引出電極２２及び第１のグランド電極６６を第１の外部接続端子Ｔ１１として用いたので、新たな複数のピン端子を設け、第１の引出電極１１、第２の引出電極２２及び第１のグランド電極６６と接続をさせる必要がなくなる。このことにより、組み立て時において、組み立て工数を削減することができ、コモンモードノイズに強くしかも小型化が図られたフィルタ内蔵コネクタ１０１の製造コストをより一層下げることができる。
【００４７】
［第２実施形態］
図７は、本発明の第２実施形態のフィルタ内蔵コネクタ１０２の斜視図である。図８は、本発明の第２実施形態のフィルタ内蔵コネクタ１０２を説明する図であって、図７に示すＰ部分の拡大図であり、図７に示すＹ２側から見た正面図である。図９は、本発明の第２実施形態のフィルタ内蔵コネクタ１０２を説明する斜視図であって、図７に示すフィルタ内蔵コネクタ１０２の筐体９及びシールドケース８を省略し、コモンモードフィルタＦ２の一部を覆っている箇所を透明化した図である。図１０は、本発明の第２実施形態のフィルタ内蔵コネクタ１０２に用いた磁性体シートＳ５を説明する図であって、図１０（ａ）は、図８に示すＱ部分の磁性体シートＳ５の断面模式図であり、図１０（ｂ）は、磁性体シートＳ５の断面ＳＥＭ写真の一例である。第２実施形態のフィルタ内蔵コネクタ１０２は、第１実施形態に対し、コモンモードフィルタＦ２の間に磁性体シートＳ５を設けている点が異なる。なお、第１実施形態と同一構成については、同一符号を付して詳細な説明は省略する。
【００４８】
本発明の第２実施形態のフィルタ内蔵コネクタ１０２は、図７ないし図９に示すように、相手側コネクタ（図示していない）と電気的に接続する第１の外部接続端Ｔ１１と、他の機器と電気的に接続するための端子部Ｔ２２ａを一方側に有した第２の外部接続端子Ｔ２２と、複数の第１の外部接続端子Ｔ１１と複数の第２の外部接続端子Ｔ２２のとの間にコモンモードフィルタＦ２と、コモンモードフィルタＦ２間に磁性体シートＳ５を備えて構成される。他に、複数の第２の外部接続端子Ｔ２２を保持する保持部５と、コモンモードフィルタＦ２を取り囲むようにして配置されているシールドケース８と、このシールドケース８を取り囲むようにして配置されている筐体９とが備えられている。また、本発明の第２実施形態のフィルタ内蔵コネクタ１０２は、図９に示すように、複数の第１の外部接続端子Ｔ１１と、複数のコモンモードフィルタＦ２と、複数の第２の外部接続端子Ｔ２２とが、一体に組み合わされた連結ユニットＪ２を構成している。
【００４９】
図９に示す連結ユニットＪ２は、ＬＣＰ（液晶ポリマー）等の合成樹脂材料を用いて作製された保持部２５を有し、保持部２５は、複数の第２の外部接続端子Ｔ２２をインサート成形して作製される。さらに、複数の第２の外部接続端子Ｔ２２の他方側に設けられ凸状に曲げられて形成された曲端部Ｔ２２ｃと、後述するコモンモードフィルタＦ２の第３の引出電極３３、第４の引出電極４４及び第２のグランド電極７７とを接続させ、コモンモードフィルタＦ２と第２の外部接続端子Ｔ２２とをインサート成形して一体形成している。この際には、複数の第２の外部接続端子Ｔ２２の他方側に設けられた曲端部Ｔ２２ｂとコモンモードフィルタＦ２の一部とが、樹脂部２５ｐによって覆われる。これにより、樹脂部２５ｐによって覆い、コモンモードフィルタＦ２と第２の外部接続端子Ｔ２２を保持するので、コモンモードフィルタＦ２と第２の外部接続端子Ｔ２２との電気的な接続を確実にできる。さらには、組み立て時において、この連結ユニットＪ２を用いるだけで、コモンモードフィルタＦ２と第２の外部接続端子Ｔ２２を組み立てることができるので、組み立て工数を削減することができる。
【００５０】
図７ないし図９に示す第１の外部接続端子Ｔ１１は、相手側のコネクタ（図示していない）がシールドケース８内に挿入されフィルタ内蔵コネクタ１０２に嵌合された際に、相手側のコネクタの端子（図示していない）と接触し、相手側のコネクタと電気的に接続される。また、本発明の第１実施形態のフィルタ内蔵コネクタ１０２は、後述するコモンモードフィルタＦ２の第１の引出電極１１、第２の引出電極２２及び第１のグランド電極６６を第１の外部接続端子Ｔ１１として用いている。これにより、新たな複数のピン端子を設け、第１の引出電極１１、第２の引出電極２２及び第１のグランド電極６６と接続をさせる必要がなくなる。このことにより、組み立て時において、組み立て工数を削減することができる。
【００５１】
コモンモードフィルタＦ２は、図４及び図５に示す第１実施形態のフィルタ内蔵コネクタ１０１のコモンモードフィルタＦ１と同様に、いくつかの層が積層された積層構造をしており、両側の外層にそれぞれ磁性体を含有する磁性体層（Ｍ１、Ｍ２）と、内層に内部導体（第１の内部導体ＮＣ１，第２の内部導体ＮＣ２）が設けられた樹脂シートからなる複数のコイル層（第１のコイル層Ｃ１、第２のコイル層Ｃ２）と、内層にグランド導体が設けられた樹脂シートからなるグランド層ＧＮとを備えて構成される。
【００５２】
また、同様にして、一方の磁性体層Ｍ１の片面側（表面側）に、銅または銅合金を主成分とする第１の引出電極１１、第２の引出電極２２、第３の引出電極３３及び第４の引出電極４４が四隅にそれぞれ形成され、第１の引出電極１１と第３の引出電極３３とが、第１の内部導体ＮＣ１を介して電気的に接続しているとともに、第２の引出電極２２と第４の引出電極４４とが、第２の内部導体ＮＣ２を介して電気的に接続している。
【００５３】
また、同様にして、他方の磁性体層Ｍ２の片面側（表面側）に、銅または銅合金を主成分とする第１のグランド電極６６及び第２のグランド電極７７が端部にそれぞれ形成され、第１のグランド電極６６と第２のグランド電極７７とが、グランド層ＧＮに形成されたグランド導体を介して電気的に接続している。
【００５４】
複数のコモンモードフィルタＦ２間には、図７ないし図１０に示すように、扁平状粉末磁性体ＦＭ５が面内方向ＰＤに配向ＨＤされた磁性体シートＳ５が配置されている。磁性体シートＳ５の配置は、磁性体シートＳ５の配向ＨＤが、コモンモードフィルタＦ２の第１の外部接続端子Ｔ１１間を結ぶ直線ＴＬと交差する方向に向くようにしている。好ましくは、図８に示すように、配向ＨＤが、第１の外部接続端子Ｔ１１間を結ぶ直線ＴＬと直交する方向に向くのが良い。
【００５５】
ここで、磁性体シートＳ５は、図１０に示すように、ＡＢＳ（アクリロニトリルブタジエンスチレン）、ＰＰ（ポリプロピレン）等の合成樹脂Ｐ５と、扁平状粉末磁性体ＦＭ５とから構成されている。また、磁性体シートＳ５は、合成樹脂Ｐ５のマトリックスに、扁平状粉末磁性体ＦＭ５の長手方向が磁性体シートＳ５の面内方向ＰＤの所望の方向に揃えた形で、複数の扁平状粉末磁性体ＦＭ５を並べるように配向ＨＤさせている。ここで言う配向ＨＤとは、複数の扁平状粉末磁性体ＦＭ５の平均傾き角度が磁性体シートＳ５の面内方向ＰＤに対して、４５°以下の状態を指し、好ましくは１０°以下の状態を指している。このようにして、複数の扁平状粉末磁性体ＦＭ５の磁化が磁性体シートＳ５の面内方向ＰＤの所望の方向に配向ＨＤするようになり、磁性体シートＳ５の磁界の向きが、所望の方向に揃うようになる。このことにより、磁束が面内方向ＰＤに通りやすくなり磁気シールド効果が向上するとともに、電磁界エネルギーを熱変換、或いは反射させる等の特性が向上する。
【００５６】
これにより、本発明のフィルタ内蔵コネクタ１０２は、扁平状粉末磁性体ＦＭ５が面内方向ＰＤに配向ＨＤされた磁性体シートＳ５が第１の外部接続端子Ｔ１１間を結ぶ直線ＴＬと交差する方向に配向ＨＤが向くように、磁性体シートＳ５をコモンモードフィルタＦ２間に配置したので、第１の外部接続端子Ｔ１１や相手側のコネクタの端子から出る或いはそれら端子に入る電磁波を磁性体シートＳ５で遮蔽することができる。
【００５７】
また、図７または図８に示すように、コモンモードフィルタＦ２のそれぞれが、第１の引出電極１１及び第２の引出電極２２と第１のグランド電極６６とが互い違いになるように配置されている。これにより、ＨＤＭＩ等のピン配列のコネクタに適用でききる。
【００５８】
以上により、本発明のフィルタ内蔵コネクタ１０２は、相手側コネクタと電気的に接続する第１の外部接続端子Ｔ１１と、他の機器と電気的に接続する第２の外部接続端子Ｔ２２のとの間に、磁性体層（Ｍ１、Ｍ２）、コイル層（第１のコイル層Ｃ１、第２のコイル層Ｃ２）及びグランド層ＧＮが積層されたコモンモードフィルタＦ２を設けたので、この内蔵されたコモンモードフィルタＦ２により、コモンモードノイズを除去することができる。このことにより、コモンモードチョークコイルを用いたコモンモ−ドフィルタを単純にコネクタ内に内蔵した場合と比較して、コネクタのサイズを小さくすることができる。したがって、コモンモードノイズに強い小型のフィルタ内蔵コネクタ１０２を得ることができる。
【００５９】
また、複数のコモンモードフィルタＦ２のそれぞれが、第１の引出電極１１及び第２の引出電極２２と第１のグランド電極６６とが互い違いになるように配置した構成にしたので、ＨＤＭＩ等のピン配列のコネクタに適用できる。このことにより、多くの信号を扱うコネクタのサイズをより小さくすることができる。
【００６０】
また、扁平状粉末磁性体ＦＭ５が面内方向ＰＤに配向ＨＤされた磁性体シートＳ５が第１の外部接続端子Ｔ１１間を結ぶ直線ＴＬと交差する方向に配向ＨＤが向くように、磁性体シートＳ５をコモンモードフィルタＦ２間に配置したので、第１の外部接続端子Ｔ１１や相手側のコネクタの端子から出る或いはそれら端子に入る電磁波を磁性体シートＳ５で遮蔽することができる。このことにより、コモンモードノイズに強くしかも端子間のクロストークを押さえられた小型のフィルタ内蔵コネクタ１０２を得ることができる。
【００６１】
また、コモンモードフィルタＦ２と第２の外部接続端子Ｔ２２とをインサート成形して一体形成したので、樹脂部２５ｐによって覆い、コモンモードフィルタＦ２と第２の外部接続端子Ｔ２２を保持でき、コモンモードフィルタＦ２と第２の外部接続端子Ｔ２２との電気的な接続を確実にできる。さらには、連結ユニットＪ２を用いるだけで、コモンモードフィルタＦ２と第２の外部接続端子Ｔ２２を組み立てることができるので、組み立て時において、組み立て工数を削減することができる。このことにより、コモンモードノイズに強くしかも小型化が図られたフィルタ内蔵コネクタ１０２の製造コストをより下げることができる。
【００６２】
また、コモンモードフィルタＦ２の第１の引出電極１１、第２の引出電極２２及び第１のグランド電極６６を第１の外部接続端子Ｔ１１として用いたので、新たな複数のピン端子を設け、第１の引出電極１１、第２の引出電極２２及び第１のグランド電極６６と接続をさせる必要がなくなる。このことにより、組み立て時において、組み立て工数を削減することができ、コモンモードノイズに強くしかも小型化が図られたフィルタ内蔵コネクタ１０２の製造コストをより一層下げることができる。
【００６３】
なお、本発明は上記実施形態に限定されるものではなく、例えば次のように変形して実施することができ、これらの実施形態も本発明の技術的範囲に属する。
【００６４】
図１１は、本発明の第１実施形態のフィルタ内蔵コネクタ１０１の変形例１を説明する斜視図であって、コモンモードフィルタユニットＦＵ１を用いないフィルタ内蔵コネクタＣ１０１の一例である。図１２は、本発明の第１実施形態のフィルタ内蔵コネクタ１０１の変形例２を説明する図であって、変形例２におけるコモンモードフィルタＦＣ２の分解斜視図である。図１３は、本発明の第２実施形態のフィルタ内蔵コネクタ１０２の変形例４を説明する図であって、図８で示した部分と同じ部分の拡大図である。図１４は、本発明の第２実施形態のフィルタ内蔵コネクタ１０２の変形例５を説明する図であって、図８で示した部分と同じ部分の拡大図である。図１５は、本発明の実施形態のフィルタ内蔵コネクタ（１０１、１０２）の変形例７を説明する斜視図であって、フィルタ内蔵コネクタＣ１０７の一例である
【００６５】
＜変形例１＞
上記第１実施形態では、コモンモードフィルタユニットＦＵ１を用いた構成にしたが、図１１に示すように、コモンモードフィルタＦＣ１を個別に用いた構成でも良い。
【００６６】
＜変形例２＞
上記第１実施形態では、第１の内部導体ＮＣ１が第１のコイル層Ｃ１に形成されるとともに、第２の内部導体ＮＣ２が第２のコイル層Ｃ２に形成された構成にしたが、図１２に示すように、第１の内部導体ＣＮＣ１及び第２の内部導体ＣＮＣ２が第１のコイル層ＣＣ１及び第２のコイル層ＣＣ２の両方に形成された構成でも良い。その際には、第１の引出電極１１は、内層電極１１Ｅ、中間電極Ｃ１１Ｆ、中間電極Ｃ１１Ｇ、第１の内部電極Ｎ１１、第５の内部電極Ｎ５５、第５の内部電極ＣＮ５５及び第１の内部導体ＣＮＣ１を介して、第３の引出電極３３と電気的に接続している。また、第２の引出電極２２は、内層電極２２Ｅ、中間電極Ｃ２２Ｆ、中間電極Ｃ２２Ｇ、第２の内部電極Ｎ２２、第６の内部電極Ｎ６６、第６の内部電極ＣＮ６６及び第２の内部導体ＣＮＣ２を介して、第４の引出電極４４と電気的に接続している。
【００６７】
＜変形例３＞
上記第１実施形態では、コイル層が第１のコイル層Ｃ１及び第２のコイル層Ｃ２から構成されたが、２つの層に限らず、３層以上あっても良い。好ましくは偶数層が望ましい。
【００６８】
＜変形例４＞
上記第２実施形態では、平板状の磁性体シートＳ５をコモンモードフィルタＦ２間に配置した構成にしたが、図１３に示すように、段差が設けられたコモンモードフィルタＦＣ４を用い、段差に沿うように磁性体シートＳＣ４を配置した構成にしても良い。このため、第１の外部接続端子Ｔ１１のピッチが狭いコネクタであっても、この段差に沿うように磁性体シートＳＣ４を配置することによって、狭いピッチに合わせて磁性体シートＳＣ４を挿入することができる。さらに、磁性体シートＳＣ４の厚みを厚くすることができる。このことにより、多くの信号を扱うコネクタのサイズをより一層小さくすることができるとともに、コモンモードノイズに強くしかも端子間のクロストークを押さえられたフィルタ内蔵コネクタを得ることができる。
【００６９】
＜変形例５＞
上記第２実施形態では、一方の磁性体層Ｍ１に第１の引出電極１１、第２の引出電極２２、第３の引出電極３３及び第４の引出電極４４が四隅にそれぞれ形成され、他方の磁性体層Ｍ２に第１のグランド電極６６及び第２のグランド電極７７が端部にそれぞれ形成された構成にしたが、図１４に示すように、第１の引出電極Ｃ１１、第２の引出電極Ｃ２２、第３の引出電極（図示していない）、第４の引出電極（図示していない）、第１のグランド電極Ｃ６６及び第２のグランド電極（図示していない）が、全て片側にそれぞれ形成されていても良い。このため、標準のコモンモードフィルタＦＣ５として用いることができ、組み立て時において、組み立て工数を削減することができるとともに、部品点数も削減でき、ノイズに強くしかも小型化が図られたフィルタ内蔵コネクタの製造コストをより一層下げることができる。
【００７０】
＜変形例６＞
上記実施形態では、コモンモードフィルタ（Ｆ１、Ｆ２）の第１の引出電極１１、第２の引出電極２２及び第１のグランド電極６６を第１の外部接続端子Ｔ１１として用いた構成にしたが、複数のクリップ状の端子を用い、複数のクリップ状の端子を第１の引出電極１１、第２の引出電極２２及び第１のグランド電極６６にそれぞれ挟み込み、第１の外部接続端子Ｔ１１として用いても良い。また、コモンモードフィルタ（Ｆ１、Ｆ２）と第２の外部接続端子Ｔ２２とをインサート成形する際に、同時にインサート成形を行い、複数のクリップ状の端子と各引出電極との接点部分を樹脂部（５ｐ、２５ｐ）によって覆うのがより好ましい。
【００７１】
＜変形例７＞
上記実施形態では、コモンモードフィルタ（Ｆ１、Ｆ２）を複数個用いてフィルタ内蔵コネクタ（１０１、１０２）を構成したが、図１５（ａ）に示すように、１個のコモンモードフィルタＦＣ６を用いて、フィルタ内蔵コネクタＣ１０６を構成しても良い。また、図１５（ｂ）に示すように、各引出電極の配置を換えたコモンモードフィルタＦＣ７を用いて、フィルタ内蔵コネクタＣ１０７を構成しても良い。
【００７２】
本発明は上記実施の形態に限定されず、本発明の目的の範囲を逸脱しない限りにおいて適宜変更することが可能である。
【符号の説明】
【００７３】
１１、Ｃ１１  第１の引出電極
２２、Ｃ２２  第２の引出電極
３３  第３の引出電極
４４  第４の引出電極
５、２５  保持部  
６６、Ｃ６６  第１のグランド電極
７７  第２のグランド電極
Ｃ１、ＣＣ１  第１のコイル層
Ｃ２、ＣＣ２  第２のコイル層
Ｆ１、Ｆ２、ＦＣ１、ＦＣ２、ＦＣ４、ＦＣ５、ＦＣ６、ＦＣ７  コモンモードフィルタ
ＦＵ１  コモンモードフィルタユニット
ＦＭ５  扁平状粉末磁性体
ＧＮ  グランド層
ＧＮ１、ＧＮ２  グランド導体
Ｍ１、Ｍ２  磁性体層
ＮＣ１、ＣＮＣ１  第１の内部導体
ＮＣ２、ＣＮＣ２  第２の内部導体
Ｓ５、ＳＣ４  磁性体シート
Ｔ１１  第１の外部接続端
Ｔ２２ａ  端子部
Ｔ２２  第２の外部接続端子
ＨＤ  配向
ＰＤ  面内方向
１０１、１０２、Ｃ１０１、Ｃ１０７  フィルタ内蔵コネクタ  
【図１】
2014187053.tif 000003
【図２】
2014187053.tif 000004
【図３】
2014187053.tif 000005
【図４】
2014187053.tif 000006
【図５】
2014187053.tif 000007
【図６】
2014187053.tif 000008
【図７】
2014187053.tif 000009
【図８】
2014187053.tif 000010
【図９】
2014187053.tif 000011
【図１０】
2014187053.tif 000012
【図１１】
2014187053.tif 000013
【図１２】
2014187053.tif 000014
【図１３】
2014187053.tif 000015
【図１４】
2014187053.tif 000016
【図１５】
2014187053.tif 000017
【図１６】
2014187053.tif 000018